(57)【要約】【課題】  隙間ノズルを収納したまま電気掃除機を使用しても、隙間ノズルを安定して保持することができるようにする。【解決手段】  掃除機本体１、ホースの手元部２ａ、延長パイプ３、又は床ノズル４の連結部のいずれかの外周面に長手方向に位置を異ならせて第１及び第２のホルダ６，７を設けるとともに、隙間ノズル５の一端側に第１のホルダ６と係合可能な第１の係止部５１を設け、さらに隙間ノズル５の他端側に第２のホルダ７と係合可能な第２の係止部１８を有し、スライド可能なスライド部材８を設ける。【選択図】        図７
2006181240.tif 000002
【特許請求の範囲】
【請求項１】
掃除機本体に連結されるホースの手元部に設けた吸込口や該ホースに着脱自在に連結される延長パイプの吸込口に接続可能な床ノズル及び隙間ノズルを有する電気掃除機において、
前記掃除機本体、前記ホースの手元部、前記延長パイプ、又は前記床ノズルの連結部のいずれかの外周面に長手方向に位置を異ならせて設けられた第１及び第２のホルダと、
前記隙間ノズルの一端側に設けられて前記第１のホルダと係合可能な第１の係止部と、
前記第２のホルダと係合可能な第２の係止部を有し、前記隙間ノズルの他端側にスライド可能に設けられたスライド部材と、
を備えることを特徴とする電気掃除機。
【請求項２】
前記第１の係止部は、前記隙間ノズルの連結部にノズル軸線方向に形成されて該隙間ノズルの風路に連通する開口を形成する外壁からなることを特徴とする請求項１記載の電気掃除機。
【請求項３】
前記開口と前記隙間ノズルの風路との間にリーク穴を介在させたことを特徴とする請求項２記載の電気掃除機。
【請求項４】
前記開口を、前記隙間ノズルの一側に設けたことを特徴とする請求項２記載の電気掃除機。
【請求項５】
前記スライド部材は、隙間ノズルに掃け機能を付与する植毛を備えた植毛台からなり、前記第２の係止部は、前記植毛台の植毛根元部に形成された溝または穴からなることを特徴とする請求項１乃至請求項４のいずれかに記載の電気掃除機。
【請求項６】
前記植毛台の前記開口側端面に、該開口を塞ぐフランジを設けたことを特徴とする請求項５記載の電気掃除機。
【請求項７】
前記植毛台の植毛エリア内の複数ヶ所に、該植毛台を軸方向に貫く植毛清掃用の溝または穴を設けたことを特徴とする請求項５又は請求項６記載の電気掃除機。
【請求項８】
前記第１のホルダを、その設置面から突出して前記隙間ノズルの連結部の開口を形成する外壁を押圧可能なＬ形片から形成するとともに、該Ｌ形片の先端に前記隙間ノズルとの係合用の突起を設け、前記外壁には、前記突起が嵌入可能な係止穴を設けたことを特徴とする請求項２乃至請求項７のいずれかに記載の電気掃除機。
【請求項９】
前記第１のホルダを形成するＬ形片を、前記ホースの手元部を除く、前記掃除機本体、前記延長パイプ、又は前記床ノズルの連結部のいずれかに設けるとともに、該Ｌ形片とその設置面との間に、前記隙間ノズルの外壁と前記ホースの吸込口部の肉厚分の隙間が形成されるように構成したことを特徴とする請求項８記載の電気掃除機。
【請求項１０】
前記隙間ノズルの係止穴の設置位置を、前記ホースの手元部と前記延長パイプとの連結部、及び該延長パイプと前記床ノズルとの連結部、のそれぞれにこれらを連結させるために設けてあるラッチが係合可能な位置に設定したことを特徴とする請求項８又は請求項９記載の電気掃除機。
【請求項１１】
前記第１のホルダと係合可能な第１の係止部を、前記隙間ノズルの両側にそれぞれ設けるとともに、第２のホルダと係合可能な第２の係止部を、前記スライド部材の両側にそれぞれ設けたことを特徴とする請求項１乃至請求項１０のいずれかに記載の電気掃除機。
【請求項１２】
前記隙間ノズルの外壁の内面に、前記Ｌ形片からなる第１のホルダ及びその突起を前記係止穴まで案内する機能を持つリブを設けたことを特徴とする請求項８乃至請求項１１のいずれかに記載の電気掃除機。
【請求項１３】
前記スライド部材に、前記隙間ノズルとの間の相対位置を調整するためのノズルラッチを設けたことを特徴とする請求項１乃至請求項１２のいずれかに記載の電気掃除機。
【発明の詳細な説明】
【技術分野】
【０００１】
本発明は、電気掃除機、特に電気掃除機が有するノズルの改良に関するものである。
【背景技術】
【０００２】
従来より、掃除機本体に連結されるホースの手元部に設けた吸込口や前記ホースに着脱自在に連結される延長パイプの吸込口に接続可能な床ノズル及び隙間ノズルを有する電気掃除機において、ホースの手元部や延長パイプの外周面にアタッチメントホルダを設けて、隙間ノズルの一端をアタッチメントホルダに固定して収納するようにしたものが知られている。（例えば特許文献１参照）。
【０００３】
【特許文献１】特開平７−５１２００号公報（第４頁、図７、図８）
【発明の開示】
【発明が解決しようとする課題】
【０００４】
しかしながら、このように隙間ノズルを一端のみで固定して収納するようにしたものにあっては、隙間ノズルを収納したまま床ノズルを前後動作させて掃除すると、隙間ノズルが服等に引っ掛かりアタッチメントホルダから脱落する可能性があり安定性が悪いという難点があった。
【０００５】
本発明の技術的課題は、隙間ノズルを収納したまま電気掃除機を使用しても、隙間ノズルを安定して保持することができるようにすることにある。
【課題を解決するための手段】
【０００６】
本発明に係る電気掃除機は、下記の構成からなるものである。すなわち、掃除機本体に連結されるホースの手元部に設けた吸込口やホースに着脱自在に連結される延長パイプの吸込口に接続可能な床ノズル及び隙間ノズルを有する電気掃除機において、掃除機本体、ホースの手元部、延長パイプ、又は床ノズルの連結部のいずれかの外周面に長手方向に位置を異ならせて設けられた第１及び第２のホルダと、隙間ノズルの一端側に設けられて第１のホルダと係合可能な第１の係止部と、第２のホルダと係合可能な第２の係止部を有し、隙間ノズルの他端側にスライド可能に設けられたスライド部材と、を備えるものである。
【発明の効果】
【０００７】
本発明の電気掃除機によれば、隙間ノズルを両端側の２ヶ所で保持して収納するので、掃除動作による揺さ振りで隙間ノズルが振られることは少なく、安定性が高く、隙間ノズルが脱落するのを防止することができる。
【発明を実施するための最良の形態】
【０００８】
実施の形態１．
以下、図示実施形態により本発明を説明する。
図１は本発明の実施の形態１に係る電気掃除機の全体構成を示す斜視図、図２はその延長パイプの要部を拡大して示す斜視図、図３はその隙間ノズルを延長パイプに収納固定した状態を示す要部の拡大斜視図、図４はその隙間ノズルの植毛台を後退させた状態を示す斜視図、図５はその隙間ノズルの植毛台を先端へ移動させた状態を示す斜視図、図６はその隙間ノズル使用時の状態を示す要部断面図、図７はその隙間ノズルを延長パイプに収納する途中の状態を示す要部断面図、図８はその隙間ノズルを延長パイプに収納した状態を示す要部断面図である。
【０００９】
本実施形態の電気掃除機は、図１のように電動送風機や集塵室などを搭載した横型の掃除機本体１の一端の吸込口１ａに蛇腹のホース２が連結され、またホース２の手元部２ｂの吸込口２ａに延長パイプ３が連結される。さらに、延長パイプ３の吸込口３ａに床ノズル４が連結されている。なお、床ノズル４はホース２の吸込口２ａに連結しての使用も可能である。また、隙間等を掃除する際に使用する、先端が他端より細くなった隙間ノズル５が延長パイプ３の側面に装着して収納されている。
【００１０】
これを更に詳述すると、延長パイプ３の外周面の一側には、図２のようにＬ形片からなる第１のホルダ６が突出形成されている。この第１のホルダ６は、Ｌ形片の先端が吸気下流側（ホース２の手元部２ｂ側）方向に向くように形成されている。また、第１のホルダ６よりも吸気上流側（床ノズル４側）の位置に、延長パイプ３の外周面の一側より延出させてＬ形片からなる第２のホルダ７が形成されている。この第２のホルダ７もＬ形片の先端が、吸気下流側（ホース２の手元部２ｂ側）方向に向くように形成されている。
【００１１】
一方、隙間ノズル５には、図４のようにその後端側に第１のホルダ６と係合可能な第１の係止部が設けられている。この第１の係止部は、隙間ノズル５の後端側に設けた連結部１５にノズル軸線方向に形成されて隙間ノズル５の風路５２に連通する開口１４を形成する外壁５１から形成され、この外壁５１には、第１のホルダ６のＬ形片の先端に設けた突起１６が嵌入可能な係止穴１７が設けられている。また、隙間ノズル５には、その他端側に第２のホルダ７と係合可能な第２の係止部を有するスライド部材が取り付けられている。このスライド部材は、隙間ノズル５に掃け機能を付与する植毛９を備えた植毛台８からなり、第２の係止部は、植毛台８前面の植毛根元部に形成された植毛台溝（又は穴）１８から構成される。そして、植毛台８は、ノズルラッチ１０を解除することにより、隙間ノズル５の平坦壁１１ａ，１１ｂ，１１ｃを有する扁平部１１上をスライド移動できるようになっている。
【００１２】
また、扁平部１１の平坦壁１１ａには、図５のように所定の間隔で複数（図５に１ヶ所のみ示す）の溝１２が形成されており、この溝１２にノズルラッチ１０の爪（図示せず）をばね圧で押圧して嵌入させることで、扁平部１１に対して植毛台８をその位置に固定できるようになっている。植毛台８の移動は、ノズルラッチ１０の図示しない操作片を押し下げ、嵌合している爪をシーソー式に持上げて溝から開放させることで可能となる（図２４及び図２５参照）。
【００１３】
また、隙間ノズル５を使用する時は、図５のように植毛台８を隙間ノズル５の先端、つまり隙間ノズル５の吸込口１３付近に移動させて固定し、図６のように隙間ノズル５後端の連結部１５を延長パイプ３の吸込口３ａ、又はホース２の吸込口２ａに嵌合させて取付ける。この時、連結部１５に形成してある係止穴１７が、延長パイプ３の吸込口３ａ又はホース２の吸込口２ａの内壁によって塞がれ、係止穴１７からの吸込み風による音は発生しない。
【００１４】
また、隙間ノズル５の連結部１５に設けた、隙間ノズル本来の風路以外にこの風路に連通する開口１４は、隙間ノズル５を掃除に使用する時に、図６のようにリーク風路となって空気が流入する。したがって、掃除中に隙間ノズル５の吸込口１３が塞がれるようなことがあっても、開口１４から絶えず空気が流入して電動送風機を冷却し損傷を防ぐとともに、柔らかい素材の蛇腹ホース２が吸引変形されるのも低減できる。更に、流速も下げるので、吸込み風による騒音も下げるといった効果も奏する。なお、開口１４は、隙間ノズル５を使用する時に、隙間ノズル５の吸込口１３からの吸込みを妨害しない大きさの開口とすることが望ましい。
【００１５】
次に、前述の構成を有する本実施形態の電気掃除機の隙間ノズル収納動作について図７及び図８に基づき図１乃至図６を参照しながら説明する。まず、隙間ノズル５の第１の係止部となる開口１４ａ側の外壁５１を第１のホルダ６に差込む。これにより、隙間ノズル５は延長パイプ３に装着される。この時、第１のホルダ６は隙間ノズル５の連結部１５の外壁５１の肉厚により押し上げられ、弾性押圧力によって隙間ノズル５を保持する。更に、突起１６が、係止穴１７に挿入され、弾性押圧力に加えて引っ掛かりによっても固定され、より確実に固定される（図７）。
【００１６】
次いで、植毛台８を吸気上流側（床ノズル４側）へスライドさせ、その前面の植毛台溝１８に第２のホルダ７を差し込むとともに、その近辺にある溝１２にノズルラッチ１０の爪をばね圧で押圧して嵌入させ、植毛台８をその位置に固定する。これにより、隙間ノズル５は、その両端側がそれぞれ第１のホルダ６と第２のホルダ７の２ヶ所で延長パイプ３に固定される。
【００１７】
隙間ノズル５を外す時は、隙間ノズル５を第１のホルダ６のＬ形状の先端方向（ホース２の手元部２ｂ方向）に第１のホルダ６の弾性押圧力よりも強く引く。これにより、突起１６が係止穴１７から外れ、同時に植毛台８の植毛台溝１８が第２のホルダ７から離脱するので、隙間ノズル５を第１のホルダ６及び第２のホルダ７から外すことができる。なお、係止穴１７は連結部１５の後端部まで切り開かれた切欠きとしてもよく、このような場合でも、前述と同様の効果を奏する。
【００１８】
このように本実施形態の電気掃除機においては、隙間ノズル５の両端部を第１のホルダ６と第２のホルダ７に装着して収納できるので、隙間ノズル５を確実に固定することができる。このため、掃除中に揺さ振られても、隙間ノズル５の端部が大きく振られることがなくなって、脱落を確実に防止することができる。
【００１９】
なお、ここでは第１のホルダ６と第２のホルダ７を延長パイプ３に設けたものを例に挙げて説明したが、これに限るものでなく、それ以外の場所、例えばホース２の手元部２ｂ近辺や、床ノズル４の延長パイプ３への連結部等に形成してもよい。また、縦型掃除機の場合は、第１のホルダ６と第２のホルダ７を、図示しないハンドル等に形成してもよく、さらに小型ハンデイ掃除機の場合は、本体に形成する。これらの場合も同様に、第１のホルダ６は弾性押圧力によって隙間ノズル５を保持し、第２のホルダ７でさらに隙間ノズル５を固定することができる。
【００２０】
実施の形態２．
図９は本発明の実施の形態２に係る電気掃除機の隙間ノズルを延長パイプに収納した状態を示す要部断面図であり、図中、前述の実施の形態１のものと同一部分には同一符号を付してある。なお、説明あたっては前述の図４及び図５を参照するものとする。
【００２１】
本実施形態の電気掃除機は、Ｌ形片からなる第２のホルダ７ＡのＬ形状の先端の向きを、前述の実施の形態１のものとは逆の吸気上流側（床ノズル４側）方向へ向くように形成するとともに、第２のホルダ７Ａと係合する第２の係止部すなわち植毛台８Ａの植毛台溝１８Ａも、前述の実施の形態１のものとは逆の吸気下流側（ホース２の手元部２ｂ側）方向を向くように植毛台８Ａ後面の植毛根元部側位置に形成したものであり、それ以外の構成は前述の実施の形態１と同一であり、実施の形態１のもつ機能を全て備えている。
【００２２】
本実施形態の電気掃除機において、隙間ノズル５を収納するには、まず植毛台８Ａを第２のホルダ７Ａの前方に位置させ（植毛台８Ａを隙間ノズル５から外してもよい）、その状態で隙間ノズル５の第１の係止部となる開口１４ａ側の外壁５１を第１のホルダ６に差込む。これにより、隙間ノズル５は延長パイプ３に装着される。この時、第１のホルダ６は隙間ノズル５の連結部１５の外壁５１の肉厚により押し上げられ、弾性押圧力によって隙間ノズル５を保持する。更に、突起１６が、係止穴１７に挿入され、弾性押圧力に加えて引っ掛かりによっても固定され、より確実に固定される。
【００２３】
次いで、植毛台８Ａを第２のホルダ７Ａの前方から吸気下流側（ホース２の手元部２ｂ側）へスライドさせ（あるいは植毛台８Ａを隙間ノズル５の先端より差し込み）、その後面の植毛台溝１８Ａに第２のホルダ７Ａを差し込むとともに、その近辺にある溝１２にノズルラッチ１０の爪をばね圧で押圧して嵌入させ、植毛台８Ａをその位置に固定する。これにより、隙間ノズル５はその両端側がそれぞれ第１のホルダ６と第２のホルダ７Ａの２ヶ所で延長パイプ３に固定される。
【００２４】
隙間ノズル５を外す時は、まずノズルラッチ１０の操作片を押し下げ、嵌合している爪をシーソー式に持上げて溝１２から開放させ、その状態で植毛台８Ａを前方へスライドさせ（あるいは植毛台８Ａを隙間ノズル５より外し）、植毛台８Ａすなわち隙間ノズル５と第２のホルダ７Ａとの係合を解く。次いで、隙間ノズル５を第１のホルダ６のＬ形状の先端方向に第１のホルダ６の弾性押圧力よりも強く引く。これにより、突起１６が係止穴１７から外れ、隙間ノズル５を第１のホルダ６からも外すことができる。
【００２５】
このように本実施形態の電気掃除機においても、隙間ノズル５の両端部を第１のホルダ６と第２のホルダ７Ａに装着して収納できるので、隙間ノズル５を確実に固定することができる。このため、掃除中に揺さ振られても、隙間ノズル５の端部が大きく振られることがなくなって、脱落を確実に防止することができる。
【００２６】
なお、ここでも第１のホルダ６と第２のホルダ７Ａを延長パイプ３に設けたものを例に挙げて説明したが、これらのホルダは、ホース２の手元部２ｂ近辺や、床ノズル４の延長パイプ３への連結部等に形成してもよく、また縦型掃除機の場合は図示しないハンドル等に形成してもよく、さらに小型ハンデイ掃除機の場合は、本体に形成してもよい。これらの場合も同様に、第１のホルダ６は弾性押圧力によって隙間ノズル５を保持し、第２のホルダ７Ａでさらに隙間ノズル５を固定することができる。
【００２７】
実施の形態３．
図１０は本発明の実施の形態３に係る電気掃除機の隙間ノズルの使用状態を示す要部断面図であり、図中、前述の実施の形態１のものと同一部分には同一符号を付してある。
【００２８】
本実施形態の電気掃除機は、隙間ノズル５の後端の連結部１５に形成した開口１４ａ，１４ｂと隙間ノズル５の風路５２との間を、隙間ノズル５の扁平部１１から連続する末広がり状の湾曲壁によって閉塞するとともに、この湾曲壁に複数のリーク穴２７を形成したものであり、それ以外の構成は前述の実施の形態１と同一であり、実施の形態１のもつ機能を全て備えている。
【００２９】
本実施形態の電気掃除機においては、開口１４ａ，１４ｂと隙間ノズル５の風路５２との間に介在する複数のリーク穴２７のトータルの大きさにより吸込み力が決まるので、開口１４が大きくても吸込口１３からの吸込みを妨害することはないという利点がある。
【００３０】
実施の形態４．
図１１は本発明の実施の形態４に係る電気掃除機の隙間ノズルを示す斜視図、図１２はその隙間ノズルと第１のホルダとの関係を示す要部断面図、図１３はその隙間ノズルと第１のホルダ部分の変形例を示す要部断面図、図１４は図１３の隙間ノズルとホース手元部の吸込口との連結状態を示す斜視図、図１５は図１３の隙間ノズルと延長パイプの吸込口との連結状態を示す斜視図、図１６は図１４のＡ−Ａ線矢視または図１５のＢ−Ｂ線矢視方向からみた断面図であり、各図中、前述の実施の形態１のものと同一部分には同一符号を付してある。
【００３１】
本実施形態の電気掃除機は、隙間ノズル５の後端の連結部１５Ａに形成する開口は、第１のホルダ６に差込む側の開口１４ａのみとし、第１のホルダ６に差込まない側の開口（図８の開口１４ｂ参照）は、扁平部１１の平坦壁１１ｂを連結部１５Ａの後端まで延長することで塞ぎ、その延長された平坦壁１１ｂより外側（反ホルダ側）の外壁部を抹消した点が前述の各実施形態のものと異なっている。それ以外の構成は前述の実施の形態１と同一であり、実施の形態１のもつ機能を全て備えている。すなわち、本実施形態においても図示は省略しているが第２のホルダと第２の係止部である植毛台溝（又は穴）を有している。
【００３２】
本実施形態の電気掃除機においては、前述の図８の連結部１５の開口部１４ｂ側がない連結部１５Ａとしているので、隙間ノズル５の収納時に、図８の連結部１５の開口部１４ｂ側分の出っ張りがなく、隙間ノズル５の収納時のコンパクト性が向上し、隙間ノズル５を収納したまま床ノズルを前後動作させて掃除しても、隙間ノズル５が服等に引っ掛かる可能性をより少なくすることができる。このような形態で延長パイプ３の吸込口３ａや、ホース２の吸込口２ａに隙間ノズル５を取付けた際は、連結部１５Ａと延長パイプ３の吸込口３ａや、ホースの吸込口２ａの内周面との間に隙間ができるが、開口部１４ａ側の外面を形成する連結部１５Ａの外周面が延長パイプの吸込口３ａや、ホースの吸込口２ａの内周面に嵌まり固定することができる。そして、このように接続した状態では、連結部１５Ａと延長パイプ３の吸込口３ａや、ホースの吸込口２ａの内周面との間に発生する前記隙間が、前記開口部１４ｂの代わりを果たすことができるものとなっている。
【００３３】
なお、前述の図８の連結部１５の開口１４ｂ側だけでなく開口１４ａ側も同じように省く構成であってもよい。すなわち、このような構成では実質的に隙間ノズル５は扁平部１１によって形成され、これに植毛台８が取付けられる構成となる。このような構成では、図１３に示すようにホルダ挿入孔５３を扁平壁１１ｂ又は扁平壁１１ｃに設け、第１のホルダ６をホルダ挿入穴５３に挿入することにより、弾性押圧力によって隙間ノズル５を保持する。また、植毛台８の幅により形成される隙間は、延長パイプ３の一部に肉厚部５４を設け、その上に第１のホルダ６形成することにより、隙間ノズル５を保持し易くする。このような構成であれば、一般的に図８の連結部１５の直径よりも植毛台８の厚さの方が薄いため、その差に応じて、コンパクト性をさらに向上させることが可能となる。
【００３４】
この図１３ような形態の隙間ノズル５をホース２の吸込口２ａに取付けたのが図１４の状態であり、また同形態（図１３）の隙間ノズル５を延長パイプ３の吸込口３ａに取付けたのが図１５の状態である。このような図１３の形態では図８の連結部１５が扁平部１１と同様の形となるため、ホース２の吸込口２ａや、延長パイプ３の吸込口３ａの内周面と扁平壁１１ｂ，１１ｃとの間に隙間ができるが、図１６に示すように、扁平壁１１ａ，１１ｄの外周面がホース２の吸込口２ａや、延長パイプ３の吸込口３ａの内周面に嵌まり固定することができる。そしてこのように接続した状態では、ホース２の吸込口２ａや、延長パイプ３の吸込口３ａの内周面と扁平壁１１ｂ及び１１ｃとの間に形成される隙間が図８の開口部１４ａ，１４ｂの代わりを果たす。なお、図１６に示す扁平壁１１ａ、１１ｄは、ホース２の吸込口２ａや、延長パイプ３の吸込口３ａの内周面に合わせて弧状となっている。このような形状であれば、ホース２の吸込口２ａや、延長パイプ３の吸込口３ａの内周面との密着性が増し、よりしっかりとホース２の吸込口２ａや、延長パイプ３の吸込口３ａに嵌め込むことができる。しかし、扁平部１１ａ，１１ｄが弧状となっていなくても、扁平部１１ｂ，１１ｃとの交点で形成される角部により、ホース２の吸込口２ａや、延長パイプ３の吸込口３ａの内周面に４点で嵌め込み支持させることができる。このように隙間ノズル５の相手との連結部に必ずしも面接触部を設ける必要はなく、隙間ノズル５を嵌め込み支持させることができる形態（例えば他の多角形形状）であれば採用可能である。
【００３５】
実施の形態５．
図１７は本発明の実施の形態５に係る電気掃除機の円筒状の隙間ノズルをその植毛台を後退させた状態で示す断面図、図１８は図１７のＣ−Ｃ線矢視断面図であり、各図中、前述の実施の形態１のものと同一又は相当する部分には同一符号を付してある。
【００３６】
本実施形態の電気掃除機は、植毛台８の開口１４側端面に、開口１４ａ，１４ｂを塞ぐフランジ１９を設けるとともに、植毛台８の植毛エリア内の複数ヶ所に、植毛台８を軸方向に貫く植毛清掃用の溝（又は穴）２０を設けたものであり、それ以外の構成は前述の実施の形態１と同一であり、実施の形態１のもつ機能を全て備えている。すなわち、本実施形態においても図示は省略しているが、保持側の部材（例えば延長パイプ）に前述の実施の形態１と同一構成を有する第１のホルダと第２のホルダが備えられている。
【００３７】
本実施形態の電気掃除機において、植毛台８をそのフランジ１９によって開口１４ａ，１４ｂを塞げ得る位置に移動し、隙間ノズル５の吸込口１３を塞いで掃除機を運転させると、植毛根元部から開口１４へと植毛清掃溝２０を通って吸気する。これにより、植毛根元部に溜まったゴミを吸引することができる。
【００３８】
このように、植毛台８に開口１４ａ，１４ｂを塞ぐフランジ１９を設け、フランジ１９により、開口１４ａ，１４ｂを塞ぐことで、開口１４ａ，１４ｂからの吸気を遮断することができ、隙間ノズル５の吸込口１３からの吸引力を強くすることができる。そして隙間ノズル５の吸込口１３を塞いで掃除機を運転させることで、さらに吸引力を強くすることができ、植毛清掃溝２０を通して植毛根元部に溜まったゴミを吸引することができる。なお、植毛清掃溝２０は、植毛９を形成する邪魔にならなければ何個設けてもよく、大きさや形状は植毛根元部のゴミが吸えて、吸込み風による音が少ない程度が好ましい。
【００３９】
実施の形態６．
図１９は本発明の実施の形態６に係る電気掃除機の第１のホルダと隙間ノズルの連結部とホースの吸込口との関係を示す要部断面図、図２０はその掃除機本体とホースの吸込口と隙間ノズルとホルダとの関係をスタンド収納時の状態で示す斜視図であり、各図中、前述の実施の形態１のものと同一又は相当する部分には同一符号を付してある。
【００４０】
本実施形態の電気掃除機は、第１のホルダ６を形成するＬ形片を、ホース２の手元部２ｂを除く、掃除機本体１、延長パイプ３、又は床ノズル４の連結部のいずれか（ここでは延長パイプ３）に設けるとともに、Ｌ形片（第１のホルダ６）と延長パイプ３の外周面との間に、隙間ノズル５の外壁５１とホース２の吸込口２ａ部の肉厚分の隙間が形成されるように構成したものである。
【００４１】
これを更に詳述すると、延長パイプ３の外周面におけるＬ形片（第１のホルダ６）設置部には、図１９のように突起部２１が形成され、突起部２１の一端からこの突起部２１のさらに外側に位置するようにＬ形片（第１のホルダ６）が形成され、Ｌ形片（第１のホルダ６）にて支持された隙間ノズル５の連結部１５と延長パイプ３の外周面との間にホース２の吸込口２ａ部の肉厚分の隙間ｇが形成されるようになっている。
【００４２】
本実施形態の電気掃除機においては、Ｌ形片（第１のホルダ６）にて支持された隙間ノズル５の連結部１５と延長パイプ３の外周面との間にホース２の吸込口２ａ部の肉厚分の隙間ｇが形成されるようになっているので、図２０のようなスタンド収納時に、ホース２の吸込口２ａを収納状態の隙間ノズル５の連結部１５に勘合させることができる。このため、スタンド収納時の収納高さを低くすることができる。
【００４３】
実施の形態７．
図２１は本発明の実施の形態７に係る電気掃除機の隙間ノズル使用時のノズルロック機構を示す要部断面図であり、図中、前述の実施の形態１のものと同一部分には同一符号を付してある。なお、説明にあたっては図１を参照するものとする。
【００４４】
本実施形態の電気掃除機は、隙間ノズル５の係止穴１７の設置位置を、ホース２の手元部２ｂと延長パイプ３との連結部、及び該延長パイプ３と床ノズル４との連結部、のそれぞれにこれらを連結させるために通常設けてあるラッチ２２が係合可能な位置に設定して、隙間ノズル５をホース２の吸込口２ａ又は延長パイプ３の吸込口３ａに連結させて使用する時に、ラッチ２２を係止穴１７に引っ掛けることにより、隙間ノズル５を確実にホースの吸込口２ａ又は延長パイプ３の吸込口３ａへ連結させることができるようにしたものである。それ以外の構成は前述の実施の形態１と同一であり、実施の形態１のもつ機能を全て備えている。
【００４５】
本実施形態の電気掃除機においては、隙間ノズル５をホース２の吸込口２ａ又は延長パイプ３の吸込口３ａに連結させて使用する時に、ラッチ２２により隙間ノズル５を確実にホースの吸込口２ａ又は延長パイプ３の吸込口３ａへ連結させることができるため、隙間ノズル５を使用時に、これが脱落するのを確実に防止することができる。
【００４６】
実施の形態８．
図２２は本発明の実施の形態８に係る電気掃除機の隙間ノズルを延長パイプに収納する途中の状態を示す要部断面図であり、図中、前述の実施の形態１のものと同一部分には同一符号を付してある。
【００４７】
本実施形態の電気掃除機は、隙間ノズル５の連結部１５の外側（第１のホルダ６と反対側）にも係止穴１７と同様な形状の係止穴１７ａを設けるとともに、植毛台８の植毛根元付近の外側（第２のホルダ７と反対側）にも植毛台溝１８と同様な形状の植毛台溝１８ａを形成して、隙間ノズル５は二つある開口１４ａ，１４ｂのどちらでも第１のホルダ６に差し込むことができ、またこれに対応させて第２のホルダ７も同様に植毛台溝１８と植毛台溝１８ａのどちらにも差し込むことができるようにしたものである。それ以外の構成は前述の実施の形態１と同一であり、実施の形態１のもつ機能を全て備えている。
【００４８】
本実施形態の電気掃除機においては、隙間ノズル５の二つある開口１４ａ，１４ｂのどちらでも第１のホルダ６に差し込むことができるので、隙間ノズル５の収納を速やかに行うことができる。
【００４９】
実施の形態９．
図２３は本発明の実施の形態９に係る電気掃除機の円筒状の隙間ノズルを連結部側から見た連結部の係止穴と第１のホルダと延長パイプとの関係を示す断面図であり、図中、前述の実施の形態１のものと同一又は相当する部分には同一符号を付してある。
【００５０】
本実施形態の電気掃除機は、隙間ノズル５の連結部１５の外壁５１の内面、つまり係止穴１７のホルダ軸線方向に沿う両側縁部に、Ｌ形片からなる第１のホルダ６及びその突起１６を係止穴１７まで案内する機能を持つリブ２３ａ，２３ｂを設けたものである。それ以外の構成は前述の実施の形態１と同一であり、実施の形態１のもつ機能を全て備えている。
【００５１】
本実施形態の電気掃除機においては、係止穴１７の両側縁部に形成したリブ２３ａ，２３ｂにより、隙間ノズル５と第１のホルダ６が接する面積が大きくなり、隙間ノズル収納時の安定性を増すことができる。このため、掃除動作による揺さ振りで隙間ノズル５が振られることがさらに少なくなり、隙間ノズル５の脱落を確実に防止することができる。
【００５２】
実施の形態１０．
図２４は本発明の実施の形態１０に係る電気掃除機の隙間ノズルの植毛台ノズルラッチとこれが係合する溝との関係を示す要部断面図、図２５はその隙間ノズルを風路後方より示す側面図であり、図中、前述の実施の形態１及び実施の形態５のものと同一又は相当する部分には同一符号を付してある。
【００５３】
本実施形態の電気掃除機は、ノズルラッチ１０を、枢軸１０ａを中心として揺動するベルクランクから構成して、その枢軸１０ａを挟む一方の腕１０ｂの一端に扁平部１１の平坦壁１１ａの溝１２と係合可能な爪１０ｃを設けるとともに、その枢軸１０ａを挟む他方の腕を操作片１０ｄとして構成し、かつ操作片１０ｄの下方にはＶ字状に折り曲げた板ばね６１を配置し、板ばね６１によって操作片１０ｄを常時外方向に付勢し、これによって爪１０ｃが溝１２と係合する方向に付勢されるようにしたものである。なお、図２５中の符号６２は、植毛台８に設けられた板ばね脱落防止用の突起である。それ以外の構成は前述の実施の形態１及び実施の形態５と同一であり、実施の形態１及び実施の形態５のもつ機能を全て備えている。
【００５４】
本実施形態の電気掃除機において、植毛台８の移動は、ノズルラッチ１０の操作片１０ｄを押し下げ、溝１２と係合している爪１０ｃをシーソー式に持上げて溝１２から開放させることで可能となる。このため、このベルクランクからなるノズルラッチ１０の機構を備えた隙間ノズル５の収納作業が容易となる。なお、このベルクランクからなるノズルラッチ１０の機構は、前述の全ての実施の形態１〜９に適用可能であることは言うまでもない。
【図面の簡単な説明】
【００５５】
【図１】本発明の実施の形態１に係る電気掃除機の全体構成を示す斜視図である。
【図２】本発明の実施の形態１に係る電気掃除機の延長パイプの要部を拡大して示す斜視図である。
【図３】本発明の実施の形態１に係る電気掃除機の隙間ノズルを延長パイプに収納固定した状態を示す要部の拡大斜視図である。
【図４】本発明の実施の形態１に係る電気掃除機の隙間ノズルの植毛台を後退させた状態を示す斜視図である。
【図５】本発明の実施の形態１に係る電気掃除機の隙間ノズルの植毛台を先端へ移動させた状態を示す斜視図である。
【図６】本発明の実施の形態１に係る電気掃除機の隙間ノズル使用時の状態を示す要部断面図である。
【図７】本発明の実施の形態１に係る電気掃除機の隙間ノズルを延長パイプに収納する途中の状態を示す要部断面図である。
【図８】本発明の実施の形態１に係る電気掃除機の隙間ノズルを延長パイプに収納した状態を示す要部断面図である。
【図９】本発明の実施の形態２に係る電気掃除機の隙間ノズルを延長パイプに収納した状態を示す要部断面図である。
【図１０】本発明の実施の形態３に係る電気掃除機の隙間ノズルの使用状態を示す要部断面図である。
【図１１】本発明の実施の形態４に係る電気掃除機の隙間ノズルを示す斜視図である。
【図１２】本発明の実施の形態４に係る電気掃除機の隙間ノズルと第１のホルダとの関係を示す要部断面図である。
【図１３】本発明の実施の形態４に係る電気掃除機の隙間ノズルと第１のホルダ部分の変形例を示す要部断面図である。
【図１４】図１３の隙間ノズルとホース手元部の吸込口との連結状態を示す斜視図である。
【図１５】図１３の隙間ノズルと延長パイプの吸込口との連結状態を示す斜視図である。
【図１６】図１４のＡ−Ａ線矢視または図１５のＢ−Ｂ線矢視方向からみた断面図である。
【図１７】本発明の実施の形態５に係る電気掃除機の隙間ノズルをその植毛台を後退させた状態で示す断面図である。
【図１８】図１７のＣ−Ｃ線矢視断面図である。
【図１９】本発明の実施の形態６に係る電気掃除機の第１のホルダと隙間ノズルの連結部とホースの吸込口との関係を示す要部断面図である。
【図２０】本発明の実施の形態６に係る電気掃除機の掃除機本体とホースの吸込口と隙間ノズルとホルダとの関係をスタンド収納時の状態で示す斜視図である。
【図２１】本発明の実施の形態７に係る電気掃除機の隙間ノズル使用時のノズルロック機構を示す要部断面図である。
【図２２】本発明の実施の形態８に係る電気掃除機の隙間ノズルを延長パイプに収納する途中の状態を示す要部断面図である。
【図２３】本発明の実施の形態９に係る電気掃除機の隙間ノズル連結部側から見た連結部の係止穴と第１のホルダと延長パイプとの関係を示す断面図である。
【図２４】本発明の実施の形態１０に係る電気掃除機の隙間ノズルの植毛台ノズルラッチとこれが係合する溝との関係を示す要部断面図である。
【図２５】本発明の実施の形態１０に係る電気掃除機の隙間ノズルを風路後方より示す側面図である。
【符号の説明】
【００５６】
１  掃除機本体、２  ホース、２ａホースの吸込口、２ｂ  ホースの手元部、３  延長パイプ、３ａ  延長パイプの吸込口、４  床ノズル、５  隙間ノズル、６  第１のホルダ、７  第２のホルダ、８  植毛台（スライド部材）、９  植毛、１４，１４ａ，１４ｂ  開口、１５  隙間ノズルの連結部、１６  突起、１７，１７ａ  係止穴、１８，１８ａ  植毛台溝（第２の係止部）、１９  フランジ、２０  植毛清掃溝、ｇ  肉厚分の隙間、２２  ラッチ、２３ａ，２３ｂ  リブ、２７  リーク穴、５１  外壁（第１の係止部）、５２  隙間ノズルの風路。
【図１】
2006181240.tif 000003
【図２】
2006181240.tif 000004
【図３】
2006181240.tif 000005
【図４】
2006181240.tif 000006
【図５】
2006181240.tif 000007
【図６】
2006181240.tif 000008
【図７】
2006181240.tif 000009
【図８】
2006181240.tif 000010
【図９】
2006181240.tif 000011
【図１０】
2006181240.tif 000012
【図１１】
2006181240.tif 000013
【図１２】
2006181240.tif 000014
【図１３】
2006181240.tif 000015
【図１４】
2006181240.tif 000016
【図１５】
2006181240.tif 000017
【図１６】
2006181240.tif 000018
【図１７】
2006181240.tif 000019
【図１８】
2006181240.tif 000020
【図１９】
2006181240.tif 000021
【図２０】
2006181240.tif 000022
【図２１】
2006181240.tif 000023
【図２２】
2006181240.tif 000024
【図２３】
2006181240.tif 000025
【図２４】
2006181240.tif 000026
【図２５】
2006181240.tif 000027